(57)【要約】【課題】取付台に取付けた後も大きな内部空間を有する水栓装置を提供する。【解決手段】本発明の水栓装置は、吐水部と、吐水部へ接続される湯水供給路が内部に挿通可能な、筒状の台座部材であって、側面に内部と外部とを連通させる開口部を有する台座部材と、台座部材の開口部に取付けられる軸受け部材と、台座部材の内部で軸受け部材にその一端が取付けられる固定軸と、固定軸の他端に取付けられる挟み込み部材と、台座部材及び軸受け部材を覆うカバー部材とを備え、軸受け部材が開口部に取り付けられた状態で、軸受け部材の少なくとも一部が、台座部材の開口部の固定軸方向の端面に当接し、挟み込み部材と協働して台座部材を取付台に固定することを特徴とする。【選択図】図３
2015183511.tif 000002
【特許請求の範囲】
【請求項１】
取付台に固定される水栓装置であって、
湯水を吐水する吐水部と、
前記吐水部へ接続される湯水供給路が内部に挿通可能な、筒状の台座部材であって、側面に内部と外部とを連通させる開口部を有する台座部材と、
前記台座部材の前記開口部に取付けられる軸受け部材と、
前記台座部材の内部で前記軸受け部材にその一端が取付けられる固定軸と、
前記固定軸の他端に取付けられる挟み込み部材と、
前記台座部材及び前記軸受け部材を覆うカバー部材と、を備え、
前記軸受け部材が前記開口部に取り付けられた状態で、前記軸受け部材の少なくとも一部が、前記台座部材の開口部の端面のうち、前記固定軸の軸方向の端面に当接し、
前記挟み込み部材が前記取付台を挟んで前記固定軸に沿って前記台座部材に向けて移動することで前記台座部材を前記取付台に固定する、水栓装置。
【請求項２】
前記軸受け部材は、前記固定軸が挿入される挿入孔が設けられた挿入部と、前記開口部に取付けられた際に前記台座部材の周壁に沿うように前記挿入部から延びる一対の延在部と、を有し、
前記軸受け部材が前記開口部に取り付けられた状態で、前記一対の延在部のそれぞれ少なくとも一部が、前記台座部材の開口部の端面のうち、前記固定軸の軸方向の端面に当接している、請求項１に記載の水栓装置。
【請求項３】
前記挿入部の、前記固定軸の軸方向の厚みは、少なくとも一部が前記開口部の前記固定軸の軸方向の幅よりも小さく、前記軸受け部材が前記開口部に取付けられた状態で、前記軸受け部材と、前記開口部の端面のうち前記固定軸の軸方向の端面との間に間隙を形成し、
前記延在部の、前記固定軸の軸方向の面は、前記軸受け部材が前記開口部に取付けられた状態で、前記開口部の端面のうち、前記固定軸の軸方向の端面に全面が当接する、請求項２に記載の水栓装置。
【請求項４】
前記軸受け部材を前記開口部に取付けた状態で、
前記一対の延在部は、前記固定軸の軸周り方向で、前記開口部の端面のうち、前記固定軸の軸周り方向の端面とそれぞれ当接している
請求項２又は３に記載の水栓装置。
【請求項５】
前記一対の延在部の、前記挿入部に対して前記最外周面に沿って遠位にある各々の遠位端について、前記軸受け部材を前記固定軸が挿入される軸方向から見て、前記一対の延在部の一方の遠位端と他方の遠位端とを結ぶ第１仮想直線を引き、この第１仮想直線の垂直二等分線を引いた場合、前記垂直二等分線が前記挿入孔を通過する、請求項２乃至４のいずれか１項に記載の水栓装置。
【請求項６】
前記第１仮想直線に対して平行に、前記挿入孔の中心を通る第２仮想直線を引き、前記一対の延在部のうち、前記第２仮想直線に対して最も遠位にある各々の遠位点を結ぶ第３仮想直線を引き、この第３仮想直線の垂直二等分線を引いた場合、前記垂直二等分線が前記挿入孔を通過する請求項５記載の水栓装置。
【請求項７】
前記一対の延在部の少なくとも一方は、前記台座部材の内壁面に前記固定軸の軸周り方向にて係止する係止部を有する、請求項２乃至６のいずれか１項に記載の水栓装置。
【請求項８】
前記台座部材は樹脂製である、請求項１乃至７のいずれか１項に記載の水栓装置。
【発明の詳細な説明】
【技術分野】
【０００１】
本発明は、水栓装置に係り、特に、取付台に固定され、吐水部から湯水を吐水する水栓装置に関する。
【背景技術】
【０００２】
従来から、水栓装置を洗面台やカウンター、壁面のような取付台に固定するため、様々な水栓用固定具が提案されている。取付台に水栓を固定するための水栓用固定具の例として、第１ねじ部材と第２ねじ部材という２つのねじ部材を用いて水栓装置を固定する水栓用固定具が特許文献１に示されている。
【先行技術文献】
【特許文献】
【０００３】
【特許文献１】特開２００９−２１５８３５号公報
【発明の概要】
【発明が解決しようとする課題】
【０００４】
取付台に固定される水栓装置の内部には、通水路や通湯路等、複数本の配管を通す必要がある。水栓装置の吐水量を維持しながら、このような配管の取り回しを容易にするためには、水栓装置の内部空間として、できるだけ広い空間を確保することが好ましい。従来の水栓装置用固定具は、複数本のねじ部材を用いて水栓装置を固定していたため、水栓装置の内部空間のうち、複数のねじ部材が所定割合を占めることになる。
【０００５】
また、水栓装置の内部に広い空間を確保する一方で、取付台に対して、水栓装置を確実に固定することが求められる。
【０００６】
そこで、本発明は、上述した従来技術の問題点を解決するためになされたものであり、内部空間として広い空間を確保しながら、取付台に対して確実に固定することが可能となる、水栓装置を提供することを目的としている。
【課題を解決するための手段】
【０００７】
上記の目的を達成するために、本発明は、取付台に固定される水栓装置であって、湯水を吐水する吐水部と、前記吐水部へ接続される湯水供給路が内部に挿通可能な、筒状の台座部材であって、側面に内部と外部とを連通させる開口部を有する台座部材と、前記台座部材の前記開口部に取付けられる軸受け部材と、前記台座部材の内部で前記軸受け部材にその一端が取付けられる固定軸と、前記固定軸の他端に取付けられる挟み込み部材と、前記台座部材及び前記軸受け部材を覆うカバー部材と、を備え、前記軸受け部材が前記開口部に取り付けられた状態で、前記軸受け部材の少なくとも一部が、前記台座部材の開口部の端面のうち、前記固定軸の軸方向の端面に当接し、前記挟み込み部材が前記取付台を挟んで前記固定軸に沿って前記台座部材に向けて移動することで前記台座部材を前記取付台に固定することを特徴としている。
このように構成された本発明においては、内部空間として広い空間を確保しながら、取付台に対して確実に固定することが可能となる、水栓装置を提供することができる。また、台座部材を挟み込み部材と軸受け部材とで挟み込む際に、軸受部材から台座部材にかかる力を、筒状の台座部材の開口部のうち、固定軸の軸方向の端面で受けるため、取付台への固定に伴う荷重に対する強度を確保することができる。
【０００８】
本発明において、好ましくは、前記軸受け部材は、前記固定軸が挿入される挿入孔が設けられた挿入部と、前記開口部に取付けられた際に前記台座部材の周壁に沿うように前記挿入部から延びる一対の延在部と、を有し、前記軸受け部材が前記開口部に取り付けられた状態で、前記一対の延在部のそれぞれ少なくとも一部が、前記台座部材の開口部の端面のうち、前記固定軸の軸方向の端面に当接していることを特徴としている。
このように構成された本発明においては、水栓装置の内部空間をより大きく確保することができる。また、軸受け部材が受ける力を分散させることができ、強固に台座部材を取付台に固定することができる。
【０００９】
本発明において、好ましくは、前記挿入部の、前記固定軸の軸方向の厚みは、少なくとも一部が前記開口部の前記固定軸の軸方向の幅よりも小さく、前記軸受け部材が前記開口部に取付けられた状態で、前記軸受け部材と、前記開口部の端面のうち前記固定軸の軸方向の端面との間に間隙を形成し、前記延在部の、前記固定軸の軸方向の面は、前記軸受け部材が前記開口部に取付けられた状態で、前記開口部の端面のうち、前記固定軸の軸方向の端面に全面が当接することを特徴としている。
このように構成された本発明においては、軸受け部材が受ける力をより分散することができる。
【００１０】
本発明において、好ましくは、前記軸受け部材を前記開口部に取付けた状態で、前記一対の延在部は、前記固定軸の軸周り方向で、前記開口部の端面のうち、前記固定軸の軸周り方向の端面とそれぞれ当接していることを特徴としている。
このように構成された本発明においては、開口部に軸受け部材を取付けた後、軸受け部材に固定軸を取付け、さらにカバー部材でこれらを覆った後も、軸受け部材を開口部内に安定して保持することが可能となり、水栓装置の取付台へと取付けが容易となる。
【００１１】
本発明において、好ましくは、前記一対の延在部の、前記挿入部に対して前記最外周面に沿って遠位にある各々の遠位端について、前記軸受け部材を前記固定軸が挿入される軸方向から見て、前記一対の延在部の一方の遠位端と他方の遠位端とを結ぶ第１仮想直線を引き、この第１仮想直線の垂直二等分線を引いた場合、前記垂直二等分線が前記挿入孔を通過することを特徴としている。
このように構成された本発明においては、水栓装置の固定に伴って軸受け部材に発生する力のモーメントがつりあった状態となる。これにより、第１仮想直線の二等分線を軸として回転する力が、軸受け部材にかかることを抑制できる。
【００１２】
本発明において、好ましくは、前記第１仮想直線に対して平行に、前記挿入孔の中心を通る第２仮想直線を引き、前記一対の延在部のうち、前記第２仮想直線に対して最も遠位にある各々の遠位点を結ぶ第３仮想直線を引き、この第３仮想直線の垂直二等分線を引いた場合、前記垂直二等分線が前記挿入孔を通過することを特徴としている。
このように構成された本発明においては、水栓装置の固定に伴って軸受け部材に発生する力のモーメントがつりあった状態となる。これにより、第３仮想直線の垂直二等分線を軸として回転する力が、軸受け部材にかかることを抑制できる。
【００１３】
本発明において、好ましくは、前記一対の延在部の少なくとも一方は、前記台座部材の内壁面に前記固定軸の軸周り方向にて係止する係止部を有することを特徴としている。
このように構成された本発明においては、軸受け部材に固定軸を取付ける際、軸受け部材が回転により開口部から外れることを防ぐことができる。
【００１４】
本発明において、好ましくは、前記台座部材は樹脂製であることを特徴としている。
このように構成された本発明においては、さらに、水栓装置のコストダウンを図ることができる。
【発明の効果】
【００１５】
本発明の水栓装置によれば、内部空間として広い空間を確保しながら、取付台に対して確実に固定することが可能となる水栓装置を提供することができる。
【図面の簡単な説明】
【００１６】
【図１】本発明の一実施形態による水栓装置を示す側面図である。
【図２】本発明の一実施形態による水栓装置を示す側面断面図である。
【図３】本発明の一実施形態による水栓装置のカバー部材、台座部材、軸受け部材、固定軸を後方斜め上方から見た分解斜視図である。
【図４】本発明の一実施形態による水栓装置の台座部材に軸受け部材及び固定軸を取付けた状態におけるカバー部材及び台座部材の垂直断面を前方斜め上方から見た垂直断面斜視図である。
【図５】図１のＡ−Ａ線に沿った断面を上から見た断面上面図である。
【図６】本発明の一実施形態による水栓装置に使用される軸受け部材を示す斜視図である。
【図７】本発明の一実施形態による水栓装置に使用される軸受け部材の上面図である。
【図８】本発明の一実施形態による水栓装置に使用される軸受け部材の正面図である。
【図９】本発明の一実施形態による水栓装置に使用される軸受け部材の底面図である。
【図１０】本発明の一実施形態による水栓装置に使用される軸受け部材の底面図に更に第１仮想直線及び第１仮想直線の垂直二等分線を引いた底面図である。
【図１１】本発明の一実施形態による水栓装置に使用される軸受け部材の底面図に更に第１仮想直線、第２仮想直線、第３仮想直線および第３仮想直線の垂直二等分線を引いた底面図である。
【発明を実施するための形態】
【００１７】
以下、添付図面を参照して本発明の一実施形態による水栓装置について説明する。
図１は、本発明の一実施形態による水栓装置を側面から見た概略側面図であり、止水状態にある水栓装置を示している。
図１に示すように、本発明の一実施形態による水栓装置１は、給湯源（図示せず）から給湯管５ｂ（図５参照）を通して供給される湯と給水源（図示せず）から給水管５ａを通して供給される水を混合し、１つの操作ハンドル２を操作することにより湯水の流量と温度を調整した湯水を可撓性ホース９を通してスパウト４に供給し、スパウト４の吐水口４ａから吐止水することができる、いわゆる、シングルレバー式の湯水混合水栓装置である。
【００１８】
すなわち、水栓装置１は、洗面台のカウンター又は台所のシンク等の取付台６上に配置され、操作ハンドル２を上方に回動操作した場合には、スパウト４の吐水口４ａから吐出される湯水を吐水状態に設定することができるようになっており、操作ハンドル２をより上方に回動させた位置に設定する程、スパウト４の吐水口４ａから吐出される湯水の流量を大きく設定することができるようになっている。一方、操作ハンドル２を下方に回動操作した場合には、スパウト４の吐水口４ａから吐出される湯水を止水状態に設定することができるようになっている。図１に示された状態は、操作ハンドル２が回動範囲の下端に位置しており、止水状態を表している。
また、操作ハンドル２を図１の手前方向に回動操作した場合には、スパウト４の吐水口４ａから吐出される湯水の温度を低温側に設定することができるようになっている。一方、操作ハンドル２を図１の奥方向に回動操作した場合には、スパウト４の吐水口４ａから吐出される湯水の温度を高温側に設定することができるようになっている。
【００１９】
また、スパウト４は、その基端部に形成されて水栓装置１の内部構造（詳細は後述する台座部材８及び軸受け部材１０等）の外周を取り囲むカバー部７を備えている。このスパウト４は、その内部で可撓性ホース９に接続されると共に水栓装置１と着脱可能に構成されており、スパウト４をハンドシャワーとして水栓装置１から使用者の手元に引き出して使用することができる。
【００２０】
以下、添付図面を参照して本発明の一実施形態による水栓装置の取付台に対する取付構造を中心に説明する。なお、水栓装置１の操作ハンドル２の操作による湯水混合制御及び吐水量制御は従来の構成を使用することにより実現可能である。
【００２１】
図２は本発明の一実施形態による水栓装置を示す側面断面図である。
図１及び図２に示すように、水栓装置１は、カウンター６を上下方向に貫く取付穴６ａの上縁に取り付けられる台座部材８と、台座部材８の側面に設けられた開口部１１に取付けられた軸受け部材１０と、馬蹄形状の固定金具である挟み込み部材１４と、この挟み込み部材１４及び軸受け部材とに取付けられる固定軸１６と、を備えている。台座部材８は樹脂製の筒状の部材であり、その内部に、給水管５ａや、給湯管（図示せず）、湯水混合後の湯水をスパウト４に送るために一旦下方へ延び、その後再び上方へと延びてスパウト４に接続される可撓性ホース９が配置される。（図１及び図２には可撓性ホース９のうち、上方へと延びる部分が示されている。）可撓性ホース９をこのように配置することにより、スパウト４をハンドシャワーとして水栓装置１から引き出す際の余長さを確保している。カバー部材７は台座部材８の外周を取り囲むように構成されており、後述するように、軸受け部材１０が台座部材８に取付けられた後にこれらを覆うようになっている。また、このカバー部材７は、一部が斜め上方に分岐してスパウト４をハンドシャワーとして着脱自在に接続する接続部を形成している。カバー部材７は表面加工が施された金属製で、水栓装置１の外観として使用者に認識される部分である。
【００２２】
図１及び図２に示すように、水栓装置１の台座部材８は、カウンター６の取付穴６ａの表側（上側）に取り付けられ、常時カウンター６の上面よりも上側に位置し、カウンター６の取付穴６ａの上方を覆っている。また、後述するように、台座部材８に開口部１１に軸受け部材１０を取付けた後、固定軸１６の一端が軸受け部材１０に取付けられる。固定軸１６は取付穴６ａを通ってカウンター６の裏側（下側）へと延び、固定軸の下端に、カウンター６を挟むようにして挟み込み部材１４が取付けられる。そして、カウンター６を挟み込んだ状態で、挟み込み部材１４を固定軸１６に沿って台座部材８に向けて移動させることで、台座部材８がカウンター６上に固定されるようになっている。
【００２３】
図３は本発明の一実施形態による水栓装置の特にカバー部材７、台座部材８の開口部１１、軸受け部材１０、固定軸１６を後方斜め上方から見た分解斜視図である。図４は台座部材８に軸受け部材１０と固定軸１６を取付けた状態における、カバー部材７及び台座部材８の垂直断面を前方（スパウト側）斜め上方から見た、垂直断面斜視図である。
図３に示すように、台座部材８の側面には、台座部材８の内側と外側とを連通させる開口部１１が設けられている。この開口部１１には後述する略円弧状の軸受け部材１０を取付けることが可能である。軸受け部材１０は図６等を参照して後述する挿入部１０１と一対の延在部１０２ａ、１０２ｂを備えており、挿入部１０１には固定軸１６を挿入するための挿入孔１０３が設けられている。軸受け部材１０の外形寸法と開口部１１の寸法はほぼ等しく、軸受け部材１０が開口部１１に嵌合するように、取付けられる。このように取付けられた状態で、軸受け部材１０の少なくとも一部が開口部１１の端面のうち、少なくとも固定軸１６の軸方向の下側端面（下端面）１１ａ又は軸方向の上側端面（図３では視認できない）に当接するようになっている。そして、軸受け部材１０の延在部１０２ａ、１０２ｂが、開口部１１の端面のうち、固定軸１６の軸周り方向の端面、すなわち開口部１１の右端面、左端面１１ｂに当接するようになっている。
【００２４】
また、軸受け部材１０を開口部１１に取付けた際、台座部材８の外側に現れる軸受け部材１０の最外周面は、台座部材８の外壁面と面一となるか、外壁面よりも内側になるように構成されている。このように構成することで、台座部材８に軸受け部材１０を取付けた後、カバー部材７を被せる際に、軸受け部材１０がカバー部材７と干渉することを防ぐことが可能となる。
【００２５】
図４に示すように、台座部材８に軸受け部材１０を取り付け、軸受け部材１０に固定軸１６の一端を取付けた状態でも、軸受け部材１０及び固定軸１６が台座部材８の内部空間に与える影響は少なく、台座部材８の内部空間を大きい状態で維持することが可能となる。また、図４の台座部材８の上部には水栓装置の湯水混合制御のために延ばされる給湯管や給水管、可撓性ホースをガイドするためのガイド部材１８が設けられている。軸受け部材１０及び固定軸１６を使用して台座部材８を取付台６に取付けた際も、台座部材８の内部には、ガイド部材１８にガイドされる給湯管、給水管、可撓性ホースを引き回すために充分な空間が確保されている。
【００２６】
図５は図１に示されたＡ−Ａ線に沿った断面を上方から見た図である。軸受け部材１０は台座部材８の内周面に沿うようにして、台座部材８の一方の壁面近くに取付けられている。軸受け部材１０に設けられた挿入孔１０３は台座部材８の中心軸から偏心した位置にある。給湯管５ｂと可撓性ホース９のうち水栓装置の上部で混合された混合湯水を水栓装置の下方に一旦導く部分が、後述する軸受け部材１０の上方から見て略Ｍ字形をなす内周面の凹部付近に配置されている。残りの空間には、給水管５ａと、可撓性ホース９のうち混合湯水をスパウト４に導く部分が配置されている。図５に示されるように、台座部材８の内部空間に給水管５ａ、給湯管５ｂ、可撓性ホース９が引き回され、軸受け部材１０がこれらの配管等の引き回しに大きな影響を与えないことが分かる。
【００２７】
図６〜図９を参照して、本発明の一実施形態による水栓装置に使用される軸受け部材の詳細について説明する。
図６は、本発明の一実施形態による水栓装置１に使用される軸受け部材１０の概要を示す斜視図である。図７、図８、図９はそれぞれ軸受け部材１０の上面図、正面図、底面図である。
軸受け部材１０は金属製の部材であり、その中央付近には固定軸１６が挿入される挿入孔１０３が設けられた挿入部１０１がある。挿入部１０１からは一対の延在部１０２ａ、１０２ｂが円弧状に延びている。軸受け部材１０の最外周面１０５は、軸受け部材１０が台座部材８に取付けられた際に、台座部材８の管状部の外側に露出される面である。最外周面１０５は、開口部１１の端面のうち、固定軸１６の軸方向の端面がなす円弧に対応するよう、開口部１１の軸方向の端面と同じ曲率を有する円弧をなしている。軸受け部材１０が台座部材８の開口部１１に取り付けられた際に、軸受け部材１０の最外周面１０５が台座部材８の外壁面と一致して面一となるか、台座部材８の外壁面よりも内側となるよう、寸法が取られている。このようにすることで、軸受け部材１０を台座部材８の開口部１１に取付けた後、台座部材８及び軸受け部材１０を覆うようにカバー部材７を被せる際、カバー部材７が軸受け部材１０と干渉しないようになる。
また、軸受け部材１０の内周面１０６は、軸受け部材１０が台座部材８に取付けられた際に、台座部材８の管状部の内側を向く面である。内周面１０６は上方から見て略Ｍ字形状の曲面であり、軸受け部材１０が台座部材８の開口部１１に取付けられた際に、台座部材８の内部空間を大きく占めることが無いように曲面付けられている。
【００２８】
このような形状を有する軸受け部材１０は、後述する延在部１０２ａ、１０２ｂの厚さが台座部材８の開口部１１の高さとほぼ同じとなるように寸法が取られており、軸受け部材１０を台座部材８の開口部１１に取付けた際に、開口部１１に軸受け部材１０が嵌合して、軸受け部材１０の固定軸１６の軸方向の移動、軸受け部材１０の固定軸１６の軸周りの移動を規制するようになっている。これにより、軸受け部材１０及び固定軸１６を介して、台座部材８と挟み込み部材１４とで取付台６を挟み込み、水栓装置１を取付台６に安定して固定することができる。
【００２９】
また、軸受け部材１０の延在部１０２ｂの下端には、係止部１０４が設けられている。この係止部１０４は、延在部１０２ｂの下端から下方に突き出た突起形状を有しており、軸受け部材１０を台座部材８の開口部１１に取付けると、ちょうど台座部材８の開口部１１の下側の管状部の内壁面に当接するようになっている。この係止部１０４により、軸受け部材１０が台座部材８の開口部１１に取付けられ、固定軸１０６の軸周り方向にひねるような力を受けた場合も、係止部１０４が台座部材８の内壁面に、固定軸１０６の軸周り方向にて係止し、軸受け部材１０が固定軸１０６の軸周り方向に回転することを防ぐことができる。これは特に、台座部材８の開口部１１に取付けられた軸受け部材１０に、固定軸１６の一端をねじ込んで取り付けようとする場合に、軸受け部材が固定軸１０６の軸周り方向にがたつくことを抑制できるため、好適である。
【００３０】
図７は軸受け部材１０の上面図である。軸受け部材１０の上面は面一に加工されており、最外周面１０５や内周面１０６との縁の部分は面取りがされている。軸受け部材１０の上面は、図７において挿入孔１０３を通る垂線に関して左右がほぼ対称となっている。延在部１０２ｂの一部、その下方に係止部１０４が設けられている部分が若干内側に張り出している他は、左右ほぼ同じ形状である。
【００３１】
図８は軸受け部材１０を内周面１０６側から見た正面図である。軸受け部材１０のうち、挿入部１０１付近の厚みが延在部１０２ａ、１０２ｂの厚みよりも小さくなっている。換言すると、軸受け部材１０のうち、挿入部１０１付近の厚みが、台座部材８の開口部１１の高さ、すなわち開口部１１の固定軸１６の軸方向に関する幅よりも小さくなっている。一方、延在部１０２ａ、１０２ｂの厚みは、台座部材８の開口部１１の高さとほぼ同じとなっている。この結果、軸受け部材１０を台座部材８の開口部１１に取付けると、軸受け部材１０の挿入部１０１付近の底面と台座部材８の開口部１１の下端面１１ａ（固定軸１６の軸方向の端面）との間に隙間が形成される一方、軸受け部材１０の延在部１０２ａ、１０２ｂの底面は台座部材８の開口部１１の下端面１１ａに全面が当接するようになる。なお、本実施形態では、軸受け部材１０のうち、挿入部１０１付近の厚みを延在部１０２ａ、１０２ｂ付近の厚みよりも小さくしているが、全体を同じ厚みとして、挿入部１０１と延在部１０２ａ、１０２ｂの底面を面一にすることも可能である。
【００３２】
また、係止部１０４の下端は軸受け部材１０の延在部１０２ａ、１０２ｂの底面から更に下方へと延びている。図９において、係止部１０４の右側側面が、軸受け部材１０を台座部材８の開口部１１に取付けた際に、台座部材８の内壁面と当接し、係止するようになる。これにより、軸受け部材１０を台座部材８の開口部１１に取付けた後、軸受け部材１０の固定軸１６を中心とした軸周りの回転を防ぐことが可能となる。軸受け部材１０が固定軸１６を中心とした軸周りに回転すると、軸受け部材１０に対する固定軸１６の取付けが不安定になるだけでなく、軸受け部材１０及び台座部材８にカバー部材７を被せた後に軸受け部材１０が回転してカバー部材７の内壁面に当接してしまう。カバー部材７は表面加工が施された金属であるため、内壁面への当接による変形が目立つという問題が生じ得る。従って、軸受け部材１０が係止部１０４を備えることで、軸受け部材１０の固定軸１６を中心とした軸周りの回転を防ぐことが好ましい。
【００３３】
図９は軸受け部材１０の底面図である。図８を参照して上述したように、軸受け部材１０の挿入部１０１付近の底面と延在部１０２ａ、１０２ｂとの間には段差がある。この延在部１０２ａ、１０２ｂの底面が台座部材８の開口部１１の下端面１１ａと当接する。これら略円弧状の延在部１０２ａ、１０２ｂの底面の径方向の幅は、台座部材８の開口部１１の下端面１１ａの幅、即ち管状の台座部材８の肉厚とほぼ等しくするのが好ましい。このようにすることで、台座部材を取付台６に取付ける際、固定軸１６及び軸受け部材１０にかかる力を、台座部材８の開口部１１の下端面１１ａが受けるようになる。つまり、台座部材８の肉厚によって、台座部材８の軸方向にかかる力を受けることになるため、荷重への耐性の観点から特に有利である。なお、軸受け部材１０を台座部材８の開口部１１に取付けた場合、係止部１０４の底面は台座部材８と当接しない。
【００３４】
図１０及び図１１を参照して、本発明の一実施形態による水栓装置に使用される軸受け部材の延在部１０２ａ、１０２ｂの底面の形状や面積の詳細について更に説明する。
図１０及び図１１は図９と同様に軸受け部材１０の底面図である。図１０には、軸受け部材１０の延在部１０２ａと延在部１０２ｂの、挿入部１０１から最外周面１０５に沿って遠位にある遠位端同士を結ぶ第１仮想直線２０１が引かれている。更に、図１０には、この第１仮想直線２０１の垂直二等分線２０２が引かれている。図１０に示されているように、この第１仮想直線２０１の垂直二等分線２０２は、挿入孔１０３を通過している。この条件を満たすように軸受け部材１０の挿入部１０１、挿入孔１０３、延在部１０２ａ、１０２ｂの関係を定めると、軸受け部材１０を台座部材８の開口部１１に取付けた際に、延在部１０２ａと延在部１０２ｂ、すなわち軸受け部材１０の左右にかかるモーメントがつり合うようになる。これにより、固定軸１６及び軸受け部材１０にかかる力を、台座部材８の開口部１１の下端面１１ａが受けるとき、バランス良く、安定して支えることが可能となる。仮に、これらの条件を満たさない場合には、力のモーメントのつりあいがとれず、第１仮想直線２０１の垂直二等分線２０２を軸として回転する力が発生することになる。これにより、固定軸１６及び軸受け部材１０、そして台座部材８に対して、局所的に応力が掛かってしまい、破損や変形などを引き起こす恐れがある。
【００３５】
図１１には、図１０と同じ条件で引かれた第１仮想直線２０１と、この第１仮想直線２０１に平行で、かつ挿入孔１０３の中心を通るように引いた第２仮想直線２０３が示されている。また、延在部１０２ａと延在部１０２ｂのうち、それぞれこの第２仮想直線２０３から最も遠位にある遠位点同士を結ぶ第３仮想直線２０４が引かれている。更に、図１１には、この第３仮想直線２０４の垂直二等分線２０５が引かれている。図１１に示されているように、この第３仮想直線２０４の垂直二等分線２０５は、挿入孔１０３を通過している。この条件を満たすように軸受け部材１０の挿入部１０１、挿入孔１０３、延在部１０２ａ、１０２ｂの関係を定めると、軸受け部材１０を台座部材８の開口部１１に取付けた際に、延在部１０２ａと延在部１０２ｂ、すなわち軸受け部材１０の左右にかかるモーメントがつり合うようになる。これにより、固定軸１６及び軸受け部材１０にかかる力を、台座部材８の開口部１１の下端面１１ａが受けるとき、バランス良く、安定して支えることが可能となる。仮に、これらの条件を満たさない場合には、力のモーメントのつりあいがとれず、第３仮想直線２０４の垂直二等分線２０５を軸として回転する力が発生することになる。これにより、固定軸１６及び軸受け部材１０、そして台座部材８に対して、局所的に応力が掛かってしまい、破損や変形などを引き起こす恐れがある。
【００３６】
台座部材８に取付けられた軸受け部材１０の挿入孔１０３に固定軸１６を取付け、台座部材８を取付台６に取付ける際に、固定軸１６の軸方向下向きの荷重が軸受け部材１０にかかる。このとき、図５を参照して上述したように、軸受け部材１０の挿入孔１０３は、台座部材８の中心軸から偏心した位置にあるため、軸受け部材１０を水平方向から見た場合、軸受け部材１０に対して、台座部材８の中心軸の軸方向下向きにモーメントが生じ得る。このような状況で、図１１を参照して上述した条件を満たすことにより、軸受け部材１０の挿入孔１０３が台座部材８の中心軸から偏心していることの影響を最小限に抑え、軸受け部材１０を台座部材８の開口部１１の下端面１１ａで安定して支えることを可能としている。
【００３７】
以上、図面を参照して本発明の一実施形態による水栓装置１について説明したが、本発明は本実施形態に限られるものではない。例えば、軸受け部材１０の延在部１０２ａ、１０２ｂの長さは、軸受け部材１０が台座部材８の開口部１１に取付けられた際に軸受け部材の挿入孔１０３が台座部材８の中心軸からどれだけ偏心しているかによって、適宜調整することができる。この調整は、上述した第一仮想直線や第二仮想直線に基づいて行うことが好ましい。
【００３８】
また、例えば、本実施形態による係止部１４は、軸受け部材１０に設けられ、台座部材８の内壁面と当接し、係止するようになっていたが、軸受け部材１０の固定軸１６を中心とした軸周りの回転を防ぐため、この他の手段を係止部１４の代わりに使用することも可能である。例えば、台座部材８の開口部１１の下端面１１ａのうち、台座部材８の外壁面に近い側を若干上方へと延出させて、軸受け部材１０の最外周面１０５の下方領域と当接させるようにしても良い。また、台座部材８の開口部１１の下端面１１ａの一部を上方へと延出させて凸部を設ける一方、軸受け部材１０の底面のうち、軸受け部材１０を開口部１１に取付けた際にこの凸部と対応する位置に凹部を設けて、軸受け部材１０を開口部１１に取付けた際に開口部１１側の凸部と軸受け部材１０側の凹部とを嵌合させるようにしてもよい。また、台座部材８の開口部１１の下端面１１ａを、外壁面側から内壁面側に向けて下るように傾斜させて傾斜面とし、一方で軸受け部材１０の底面部にこの傾斜に対応するように傾斜させて同様の傾斜面として、これら対応する傾斜面同士を当接させることによって、軸受け部材１０の固定軸１６を中心とした軸周りの回転を防ぐようにしても構わない。
【００３９】
また、本発明の一実施形態による水栓装置１について説明する際、取付台６としてカウンターなどを例に説明したが、壁面等の垂直面に対しても同様に水栓装置１を取付けることが可能である。
【００４０】
上述した本発明の一実施形態による水栓装置１によれば、内部空間として広い空間を確保しながら、取付台６に対して確実に固定することができる。
【００４１】
また、本発明の一実施形態による水栓装置１によれば、水栓装置１を取付台６に取付ける際にかかる荷重を台座部材８の開口部１１の肉厚により台座部材８の軸方向で受け、圧縮荷重として受けるようにしているため、台座部材８の材質として、金属より比較的強度に劣るとされている樹脂を用いることが可能となる。このような樹脂製の台座部材８はコスト面でも有利であり、水栓装置１の製造にあたって特に好ましい。また、通常、台座部材が樹脂製である場合は、台座部材にナットを圧入する、あるいは、台座部材にナットをインサート成型し、固定軸を取付けることが考えられるが、その場合、金型構成上の設計自由度が狭まり、さらに台座部材が大型化する。それに対して、本発明の一実施形態による水栓装置１によれば、台座部材を樹脂製としても、設計自由度を狭めず、大型化することがない。
【００４２】
上述した本発明の一実施形態による水栓装置１においては、台座部材８は樹脂製であるが、本発明はこのような構成に限定されるものではない。例えば、台座部材を金属製としてもよい。
【符号の説明】
【００４３】
１    水栓装置
２    操作ハンドル
４    スパウト
５ａ  給水管
５ｂ  給湯管
６    カウンター（取付台）
６ａ  取付穴
７    カバー部材
８    台座部材
９    可撓性ホース
１０    軸受け部材
１１    開口部
１１ａ  下端部
１４    挟み込み部材
１６    固定軸
１８    ガイド部材
１０１    挿入部
１０２ａ  延在部
１０２ｂ  延在部
１０３    挿入孔
１０４    係止部
１０５    最外周面
１０６    内周面
２０１    第１仮想直線
２０２    第１仮想直線の垂直二等分線
２０３    第２仮想直線
２０４    第３仮想直線
２０５    第３仮想直線の垂直二等分線
【図１】
2015183511.tif 000003
【図２】
2015183511.tif 000004
【図３】
2015183511.tif 000005
【図４】
2015183511.tif 000006
【図５】
2015183511.tif 000007
【図６】
2015183511.tif 000008
【図７】
2015183511.tif 000009
【図８】
2015183511.tif 000010
【図９】
2015183511.tif 000011
【図１０】
2015183511.tif 000012
【図１１】
2015183511.tif 000013